Podtech/llm-jp-corpus-v4-ja_patent huggingface dataset:
(57)【要約】      （修正有）【課題】顔面筋力を鍛えるため、口に含んで口輪筋に張りを持たせながら、頬を大きく膨らませて、閉じる動作が簡単に出来るエクササイズ器具を提供する。【解決手段】唇で挟んだ時に飲み込みを予防するために花びらの形状をした部位Ｄと、口に含む部位Ｂとからなり、口に含む部位には、輪状のストッパーＥを設け、口にくわえながら口輪筋を鍛えるための太さを持たせ、その内面を空洞として、該エクササイズ器具を構成する。【選択図】図１
0003153092.tif 000002
【実用新案登録請求の範囲】
【請求項１】
プラスチックで形成された器具を口に含み、くちびるでくわえて大きく頬を膨らます、閉める動作を繰り返しながら顔面筋力を鍛えるための器具である。
【請求項２】
器具には唇で挟んだ時に飲み込みを予防するために花びらの形状をした部位と口に含む部位には輪状のストッパー機能を持たせ、口にくわえながら口輪筋を鍛えるための太さも持たせた。その内面を空洞としスポンジ等を挿入してその部位にアロマオイルなどを垂らし香りの癒しでリラックスしながら筋力を鍛える構造をも持たせたエクササイズ器具である。
【考案の詳細な説明】
【考案の詳細な説明】
【技術分野】
【０００１】  本考案は加齢と共に衰える顔面筋力を鍛え、たるみやシワを整形手術やコラーゲンなどの薬物、並びにシワとりクリームなどを用いることなく肌に張りと活力を持たせ肌の若返りに係るエクササイズ器具である。
【背景技術】
【０００２】  従来、この種の顔面を鍛えるためとしてローラー状形態を持ち顔の皮膚を直接コロコロさすりながらマッサージをするなどの器具が市販され主流である。
【考案が解決しようとする課題】
【０００３】  従来、顔面のたるみとシワを取るために使用している様々な器具は顔肌上をさする、こするなど皮膚表面組織を圧迫しマッサージする事で効果を得る方法ではあるが肌表面が一時的に緊張感を持ったように見えるだけで顔の筋力が鍛えられてはいない。
【課題を解決するための手段】
【０００４】  上記目的を解決するために本考案は顔面筋の一番の衰えは頬の内側が空洞のため支えのない頬肉が引力の法則に基づきどんどん下がって法令線、顎、首元のたるみの主な原因である事に着目し、身体筋力を鍛えるための器具は多数ありながら簡単に使えて効果が上がり直接顔筋力を鍛える器具がこれまでにない事から日常的に短時間繰り返し使用するだけで顔筋力を鍛える器具を考案した
【考案を実施するための形態】
【０００５】  元来顔面は肉薄であり、その筋肉は額、頬骨など骨にそって張り付いている。しかし両頬骨の下からは筋肉を支える骨もなく内側が空洞であり、幼児や若年層には顔筋力にも張りがあり筋肉も太く張りも維持されているが加齢と共に顔面筋が衰えると特に頬の肉は支えどころがないまま重みで下がり、法令線のシワ、顎のたるみ、シワなどの原因になっている事に着目、頬の筋力を大きく動かす、閉じる等の動作で頬筋力を鍛える運動具の必要性を感じた。そのまま口元を閉じて頬を大きく膨らませ、閉じて運動して見たがそれだけでは口元の梅干シワの元凶である口輪に余計にきついシワが刻み込まれる事になり、元々口周りのシワの原因は笑う、話すなどの表情筋が主な原因であることを思うと口の周りを固定しながら頬を膨らませる、閉じる運動法が最適であると考え、その観点に基づき口に含んで口輪筋に張りを持たせながら、頬を大きく膨らませ、閉じるが簡単に出来る機能を持つ器具の考案となった。
【０００６】  口に含みくちびるで器具を軽く挟み、そのままゆっくり大きく頬を膨らませ、次にゆっくり頬を閉める動作を繰り返す。頬を大きく膨らませた時には自然に目も大きく見開き目力や目の下の筋力アップに伴い、気になる目の下のシワ、ふくらみ解消の役目も果し、また顔全体の血行も良くなるため顔面が熱くなり代謝アップを促している事を感じる。顔の筋力運動をする事により同時に唾液もたくさん出るため健康維持にも役立ち、これまでにない画期的な顔筋力アップ用エクササイズ器具となった。
【実施例】
【０００７】  以下、添付図面に従って実施例を説明する。
図１．（Ａ）は顔面筋力エクササイズ器具の全体図である。（Ｂ）の部位に口輪筋を鍛えるための太さを持たせ、口にくわえてくちびるで軽くはさむ形状としストッパー（Ｅ）も取り付けた。更に飲み込み予防のために口に含んだ際に唇でおさえてストッパーとなるよう花びら部位（Ｄ）も取り付け、また口にくわえる（Ｂ）の内面（Ｃ）は空洞にしてスポンジ素材などを挿入しアロマオイルなどを垂らして香りの癒しでリラックスしながらエクササイズを楽しめる構造である。【０００８】  図２．（１）（２）は頬を大きく膨らませる、閉じる動作をした顔の表情図である。顔の筋力を大きく動かすために顔面全体の血行が良くなるのを感じ、だ液も出るため顔筋力を鍛えると共に健康な身体作りの役目も果す。【０００９】図３．頬の内側が空洞である事を示したもので、一日に好みの回数の運動を続けてこの部分の筋力を鍛えるだけで肌に張りが出て顔の表情にも若々しさが戻る。
【考案の効果】
【００１０】本考案の顔面筋力アップエクササイズ器具を口に含み頬を大きく膨らませる、閉めるの簡単動作を繰り返す行為は頬だけでなく顔面の代謝を良くしながら顔全体の筋力を鍛え、肌本来の持つ張りと艶を取り戻し、お金をかけず家庭内で楽しみながら中高年齢層の人たちには特に精神的、金銭的にも大きな助けと喜びを得られながら肌の若さを持続できるためのエクササイズ器具である。
【図面の簡単な説明】
【図１】本考案の基本形を示すものである。
【図２】本考案を使用中のものである
【図３】本考案の頬が空洞である事を示す図である。
【図１】
0003153092.tif 000003
【図２】
0003153092.tif 000004
【図３】
0003153092.tif 000005
【手続補正書】
【提出日】平成21年5月22日(2009.5.22)
【手続補正１】
【補正対象書類名】実用新案登録請求の範囲
【補正対象項目名】全文
【補正方法】変更
【補正の内容】
【実用新案登録請求の範囲】
【請求項１】
唇で挟んだ時に飲み込みを予防するために花びらの形状をした部位と、口に含む部位とからなり、口に含む部位には、輪状のストッパーを設け、口にくわえながら口輪筋を鍛えるための太さを持たせ、その内面を空洞とした事を特徴とする、エクササイズ器具。
(57)【要約】      （修正有）【課題】コンパクトで携帯しやすく、筆記中でも他の人も付箋が使え、サイズ違いの付箋も収納できる付箋収納ケース付きペンを提供する。【解決手段】本体の一端部に万年筆、ペンシル、ペン、ボールペン、サインペン等を有する筆記道具の他端部近傍の蓋部内部に紙片の束からなる付箋束を収納する。蓋と一体化している付箋の束が貼り付けて乗せてある板状の部分がスライド式になっていて分離する。【選択図】図１
0003153094.tif 000002
【実用新案登録請求の範囲】
【請求項１】
ペンシル、ペン、ボールペン、サインペン等の筆記道具の内部に文字や記号や絵柄等を書いて貼り付ける小さな紙片である付箋が収納出来ることで携帯にも優れ、付箋を外部の汚れからも防げ、使用する際には付箋を収納している部分の蓋と一体化している付箋の束が貼り付けて乗せてある板状の部分がスライド式になっていることで、途中まで引き出して付箋を剥がし取り使用することも出来、また筆記道具から引き抜いて分離できることで、筆記道具部分で書いている時でも付箋収納ケース部分をテーブル等に置いて他の人も付箋を使用することが出来るし、また、付箋収納ケース内部スペースより小さいサイズの付箋であればサイズ違いの付箋を同時に収納できるところを特徴とする付箋収納ケース付きペン
【考案の詳細な説明】
【技術分野】
【０００１】  本考案は、書くことを目的とする筆記道具と文字や記号や絵柄等を書いて貼り付ける小さな紙片である付箋が収納でき、使用する際は筆記道具部分と付箋収納部分を分離し筆記中でも他の人にも付箋が使える付箋収納ケース付きペンに関するものである
【背景技術】
【０００２】  現在の筆記道具は消しゴムやブラシやキャラクター等が一体化したものやペンシルやペンやサインペンやボールペン等を一体化したものなどが一般的で、また、付箋はのり付きのいろいろなサイズやいろいろな色を束ねたもの、いろいろなサイズのものを組み合わせてまとめたもの、携帯用ファイルに取り付けたものや付箋と筆記道具をいっしょにしたペンスタンドやただ組み合わせただけのもの、またペンに付箋をセットして一枚一枚引き出すものはあった。
【考案の開示】
【考案が解決しようとする課題】
【０００３】  本考案は、筆記道具と束ねた付箋を一体化しコンパクトで携帯しやすくするとともに使用する際、筆記道具部分と付箋収納部分を分離し筆記中でも他の人も付箋が使えるし、サイズ違いの付箋も収納できるようにするものである
【課題を解決するための手段】
【０００４】  本考案は、筆記道具の中に束ねた付箋を収納することによりコンパクトで携帯に優れた付箋収納ケース付きペンと成し、使用する際、筆記道具部分から付箋収納部分をスライド形式で引き抜き分離し筆記中でも他の人も付箋が使え、また、付箋収納部分が縦長の立方体空間になっていることで、サイズ違いの付箋を同時に収納できることで問題解決と目的に達している
【考案の効果】
【０００５】  上述の様に、本考案の付箋収納ケース付きペンは、筆記道具の中に付箋が収納されていることにより携帯に優れ、外出先でもこの付箋収納ケース付きペン一本あれば地図やガイドブック等の気になる箇所に目印としてすぐに取り出し貼り付けることが出来ることは基より筆記道具部分と付箋収納部分を分離し筆記中でも他の人も付箋が使えるし、用途に合わせて付箋のサイズ違いを同時に収納できる。
【考案を実施するための最良の形態】
【０００６】  本考案の付箋収納ケース付きペンは、耐久性のプラスチックス等適性素材にて形成さ
（３）
れた筆記道具で、ペン先の反対側に蓋と一体化した板状のスライドできる形態のものを設け、その板状部の上に付箋を貼り付け収納する。付箋を使用する際は蓋と一体化された板状の部分を引き出せば同時に付箋が出て来て付箋を一枚一枚剥がし使用することができるし、また筆記道具部分と付箋収納部分を分離できることで筆記中でも他の人も付箋が使えたり、収納部分が長方形の空間になっていることにより用途に合わせて付箋のサイズ違いを同時に収納することも出来る。
【実施例】
【０００７】    以下、添付図に従って実施例を説明する。「図１」筆記道具部１、付箋貼り付け収納部２、キャップ部３は耐久性のプラスチックス等適性素材にて一体化形成された筆記道具で、１の筆記道具部の内部には筆記道具であるサインペンやボールペンやペンやペンシルなどが設けられ、２は付箋を収納している部分で、２の付箋収納部分のスライド部オをスライドすることにより内部に貼り付けられている付箋ウが同時に引き出され１の筆記道具部から完全に分離され、テーブル等に置いて筆記中でも他の人が付箋を使用することができ、付箋を使い切ってしまえばオの部分に新たに付箋の束を貼り付け再度使用可能で、場合によっては、ウ−１やウ−２のようにサイズの違う付箋を収納サイズ内であれば収納できる。３のキャップ部分は、筆記する時２の付箋収納部分のイのキャップ差し込み部に差し込むことでキャップの紛失を軽減でき、また使用しない時は一本の筆記道具としてクリップ部分でファイル、ノート、バッグ、衣類などに留めることが出来、本体の紛失が軽減できる。
【産業上の利用可能性】
【０００８】  本考案の付箋収納ケース付きペンは、筆記道具部分と付箋収納部分を一本の筆記道具としてシンプルな形態に一体化したことで安価に制作可能な商品となりうる
【図面の簡単な説明】
【０００９】
【図１】本考案の立体図と付箋サイズ違いの図
【図２】本考案の底面図と側面図と上面図
【図３】本考案のキャップ部分と筆記道具部分と付箋貼り付け部分の図
【図４】本考案の付箋収納部の断面図と底面図と側面図の拡大図
【符号の説明】
【００１０】１      ペン本体
２      付箋収納部
３      キャップ
ア      クリップ部
イ      キャップ差し込み部分
ウ      付箋（大）
ウ−１  ザイズ違いの付箋（中）
ウ−２  ザイズ違いの付箋（小）
エ      付箋収納部抜け防止ストッパー
オ      付箋貼り付け台板状部分
カ      付箋貼り付け台のスライド用の溝
キ      スライド部のストッパー
ク      キャップ抜け防止ストッパー
ケ      ペン先
【図１】
0003153094.tif 000003
【図２】
0003153094.tif 000004
【図３】
0003153094.tif 000005
【図４】
0003153094.tif 000006
【手続補正書】
【提出日】平成21年6月3日(2009.6.3)
【手続補正１】
【補正対象書類名】実用新案登録請求の範囲
【補正対象項目名】全文
【補正方法】変更
【補正の内容】
【実用新案登録請求の範囲】
【請求項１】
本体の一端部に万年筆、ペンシル、ペン、ボールペン、サインペン等を有する筆記道具の他端部近傍の蓋部内部に紙片の束からなる付箋束を収納するもので、蓋と一体化している付箋の束が貼り付けて乗せてある板状の部分がスライド式になっていることで、途中まで引き出して付箋を剥がし取り使用することも出来、また筆記道具から引き抜いて分離できることで、筆記道具部分で筆記作業時でも付箋収納ケース部分をテーブル等に置いて他の人も付箋を使用することが出来、また、付箋収納ケース内部スペースより小さいサイズの付箋であればサイズ違いの付箋を同時に収納できるところを特徴とする付箋収納ケース付きペン
(57)【要約】      （修正有）【課題】軽く引っ張るだけで、洗濯物を取り込むことができ、耐久性に優れる物干しハンガーを提供する。【解決手段】物干しハンガーは、丸パイプと、過剰な荷重を掛けることにより開放する洗濯挟みからなる。【選択図】図２
0003154793.tif 000002
【実用新案登録請求の範囲】
【請求項１】
物干しハンガーに於いて、洗濯挟みの位置が任意に移動でき  且つ洗濯物を強く引張る事により容易に取り入れ事ができる  丸パイプによる枠と開閉自在な挟みを具備する事。
【考案の詳細な説明】
【技術分野】
【０００１】  本考案は、物干しハンガーの枠材がパイプに成っており、その外径に合せた内径の留具（図１）を付け、それに洗濯挟み（図２）を吊り下げ、洗濯物の状況により、留具を任意の位置へスライドさせる事ができる工夫である。
【背景技術】
【０００２】  従来  物干しハンガーは  枠材へ穿孔等し固定した位置に洗濯挟みを吊り下げていた。それで  洗濯物によっては展開不足や引き攣れは否めなかった。【０００３】  又  干し上がった後  洗濯物を取り込む際に、小脇にハンガーを挟み  片手で洗濯物を持ち  残る片手で洗濯挟みを操作して  始めて洗濯物を取り込むことができた。
【考案の開示】
【考案が解決しようとする課題】
【０００４】  洗濯物によっては展開不足や引き攣れが生まれるばかりか、枠材にも異常な加重があり、又  洗濯物を取り込む際に小脇にハンガーを挟むみ等  耐久性を損ねていた。
【課題を解決するための手段】
【０００５】  枠材をパイプにする事により  留具との接合が容易となり、且つ留具の位置により枠材に掛かる異常な加重にも耐久性が得られる。
【考案の効果】
【０００６】  片手でハンガーを吊り下げ  片手で洗濯物を軽く引張るだけで  取り込めるので  枠材にも  洗濯挟みにも負担が軽く  物干しハンガー全体の耐久性が向上する。
【考案を実施するための最良の形態】
【０００７】  枠材をパイプにし  それに穿孔加工など施さず  適合した留具を装着し  その留具から過剰加重自動解放型洗濯挟みを吊り下げる。
【実施例１】
【０００８】    外径１ｃｍのアルミニュウムのパイプで枠材を作り、それに内径１ｃｍのポリプロピレン製の留具、過剰加重自動解放型洗濯挟みを吊り下げる。
【図面の簡単な説明】
【０００９】
【図１】内径１ｃｍのポリプロピレン製の留具。
【図２】ポリプロピレン製の過剰加重自動解放型洗濯挟み。
【符号の説明】
【００１０】    １  外径１ｃｍのアルミニュウムのパイプ。
２  内径１ｃｍのポリプロピレン製の留具。
３  ポリプロピレン製過剰加重自動解放型洗濯挟み。
【図１】
0003154793.tif 000003
【図２】
0003154793.tif 000004
【手続補正書】
【提出日】平成21年5月20日(2009.5.20)
【手続補正１】
【補正対象書類名】実用新案登録請求の範囲
【補正対象項目名】全文
【補正方法】変更
【補正の内容】
【実用新案登録請求の範囲】
【請求項１】
物干しハンガーに於いて、洗濯挟みの位置が任意に移動でき  且つ洗濯物を強く引張る事により容易に取り入れ事ができる  丸パイプによる枠と開閉自在に挟むことを特徴とする物干しハンガー。
【手続補正書】
【提出日】平成21年7月24日(2009.7.24)
【手続補正１】
【補正対象書類名】実用新案登録請求の範囲
【補正対象項目名】全文
【補正方法】変更
【補正の内容】
【実用新案登録請求の範囲】
【請求項１】
物干しハンガーに於いて、洗濯挟みの位置が任意に移動でき  且つ洗濯物を強く引張る事により容易に取り入れ事ができる、丸パイプを採用する事と、過剰加重を掛ける事により自動開放する洗濯挟みを採用する事とを特徴とする物干しハンガー。
(57)【要約】      （修正有）【課題】イヤリングを装着時に携帯電話あるいは音楽などを聴くためのイヤーフォーンを使用する際に、装着しているイヤリングが邪魔になることがあり、装着しているイヤリングを耳から外す必要のないイヤリングを提供する。【解決手段】可動型イヤリングは、その構成要素に容易に動かすことの可能な部材を使用することにより、イヤリングを装着した状態で、邪魔になる部分のみを邪魔にならない位置まで動かすことにより、イヤリングの装着の利便性を向上するようにした。【選択図】図２
0003154800.tif 000002
【実用新案登録請求の範囲】
【請求項１】
身飾り品のイヤリングにおいて、イヤリングを装着時に携帯電話あるいは音楽などを聴くためのイヤーフォーンを使用する際に、装着しているイヤリングが邪魔になることがあるが、これを解決するために、本考案のイヤリングは、円筒状あるいは円球状で構成されるプラステッィクあるいは金属などの摩擦抵抗を利用し、容易に動かすことの可能な部材で構成することを特徴とする可動型イヤリング。
【考案の詳細な説明】
【技術分野】
【０００１】本考案は、身飾り品のイヤリングに関するものである。
【背景技術】
【０００２】従来、固定的であったイヤリングの構成要素に可動部分を含めることにより、利便性を高める技術に関するものである。
【考案の開示】
【考案が解決しようとする課題】
【０００３】身飾り品のイヤリングにおいて、イヤリングを装着時に携帯電話あるいは音楽などを聴くためのイヤーフォーンを使用する際に、装着しているイヤリングが邪魔になることがあり、固定式のイヤリングにおいては、装着しているイヤリングを耳から外し、携帯電話あるいは音楽などを聴くためのイヤーフォーンを使用し、それらの使用が終了した段階で、再度イヤリングを装着することを行っており、イヤリング装着時の利便性が低い状況にあった。
【課題を解決するための手段】
【０００４】上記課題を解決するため、本考案の請求項１に記載の可動型イヤリングは、その構成要素に容易に動かすことの可能な部材を使用することにより、イヤリングを装着した状態で、前記の邪魔になる部分のみを邪魔にならない位置まで動かすことにより、イヤリングの装着の利便性を向上するようにした。
【考案の効果】
【０００５】本考案による可動型イヤリングを使用することにより、イヤリング装着時に携帯電話あるいは音楽などを聴くためのイヤーフォーンを使用する際に、装着しているイヤリングを、耳から外すことなく使用することが可能となり、利便性が向上した。
【実施例】
【０００６】本考案の可動型イヤリングを、図面に示す具体的な実施例にもとづいて説明する。【０００７】図１から図２に示す、本考案による可動型イヤリングは、部材（１）に比較的軽いプラスティックあるいは金属などを使用し、部材（２）に装飾的なイヤリングとしての宝飾品をつけることの可能なプラステッィクあるいは金属などを使用し、部材（１）および部材（２）を可動部分を使用して結合する。図１の実施例では、部材（１）の末端が、空洞化した円球状として外球を形成し、部材（２）の末端が、部材（１）の空洞の大きさに合わせた円球状として内球を形成している。部材（１）の外球と部材（２）の内球の大きさを適切にすることにより、部材（１）および部材（２）の外球および内球のそれぞれの接触部分に生じる摩擦抵抗により、部材（１）が耳に装着された状態において、外部からの比較的小さい力で、部材（２）を動かし、その位置を動かした位置で固定することが可能となる、と同時に原形に復帰させることも可能となる。部材（１）および部材（２）のそれぞれの末端の形状は、図で示した円球状に加えて、円筒状でも同様の効果がある。
部材（１）の末端の外球部分には、部材（２）が動くための切込みが設けられている。
【図面の簡単な説明】
【０００８】
【図１】図１は、本考案による可動型イヤリングを、イヤリングとして装着した状態の正面図である。
【図２】図２は、図１の可動型イヤリングを耳に装着時において、携帯電話などを使用する際に、部材（２）を動かした状態の正面図である。
【符号の説明】
【０００９】１  比較的軽いプラステッィクあるいは金属などによる可動型イヤリングを耳に装着するに必要な部分を形成する部材
２  装飾的なイヤリングとしての宝飾品をつけることの可能なプラステッィクあるいは金属などを使用したイヤリングの本体としての部材
【図１】
0003154800.tif 000003
【図２】
0003154800.tif 000004
【手続補正書】
【提出日】平成21年7月28日(2009.7.28)
【手続補正１】
【補正対象書類名】実用新案登録請求の範囲
【補正対象項目名】全文
【補正方法】変更
【補正の内容】
【実用新案登録請求の範囲】
【請求項１】
身飾り品のイヤリングにおいて、イヤリングを装着時に携帯電話あるいは音楽などを聴くためのイヤーフォーンを使用する際に、装着しているイヤリングが邪魔になることがあるが、これを解決するために、本考案のイヤリングは、その構成部材として、イヤリングを耳に掛ける部材（１）には耳に負担が掛からないように比較的軽いプラスティックあるいは金属などを使用し、装飾的なイヤリングとしての宝飾品をつける部材（２）にはプラステッィクあるいは金属などを使用し、部材（１）および部材（２）を、部材（１）の末端が、空洞化した円球状として外球を形成し、部材（２）の末端が、部材（１）の空洞の大きさに合わせた円球状として内球を形成し、部材（１）の外球と部材（２）の内球の大きさを適切にすることにより、部材（１）および部材（２）の外球および内球のそれぞれの接触部分に生じる摩擦抵抗により、部材（１）が耳に装着された状態において、外部からの比較的小さい力で、部材（２）を動かし、その位置を動かした位置で固定することが可能となる、と同時に原形に復帰させることも可能となり、部材（１）および部材（２）のそれぞれの末端の形状は、円球状に加えて、円筒状でも同様の効果を有することを特徴とする可動型イヤリング。
(57)【要約】      （修正有）【課題】製造時、本体とリード線の接合の人工操作によるミスを防止し、製品の瑕疵や損壊率を減少させることを可としたヒューズベースを提供する。【解決手段】ヒューズベース１は、本体１０、および、二リード線２０からなる。さらに、本体左右に頂底面が貫通する接合孔１１を設置し、接合孔底端はラッパ状の導孔１２を形成し、二リード線の頂端近接部に、平坦な型押し構造２１を形成し、自動化機械設備により、リード線２０を導孔端からベース本体１の接合孔１１内に挿入し、型押し構造２１により固定され、二リード線頂端が接合孔１１から外に出て、扁平なピンを形成する。【選択図】図６
0003154798.tif 000002
【実用新案登録請求の範囲】
【請求項１】
ヒューズベース組み合わせ構造であって、ベース本体、および、二リード線からなり、その特徴は、前記本体左右に頂底面が貫通する接合孔を設置し、前記接合孔底端はラッパ状の導孔を形成し、前記の二リード線の頂端近接部に、平坦な型押し構造を形成し、自動化機械設備により、前記リード線を前記導孔端から前記ベース本体の前記接合孔内に挿入し、前記型押し構造により固定されることを特徴とするヒューズベース組み合わせ構造。
【請求項２】
前記ベース本体の形状は、方形、円形、あるいは、その他の幾何学系であることを特徴とする請求項１に記載のヒューズベース組み合わせ構造。  
【請求項３】
前記ベース本体上に設置された導孔の定位方式は、その他の電気プラグ内の定位固定方式にも適用できることを特徴とする請求項１に記載のヒューズベース組み合わせ構造。
【考案の詳細な説明】
【技術分野】
【０００１】
本考案は、ヒューズの改良構造に関するものであって、特に、ヒューズベースを構成するベース本体とリード線の接合構造に改良を加え、ベース本体とリード線の結合を更に精確にした構造に関するものである。
【背景技術】
【０００２】
一般に、ヒューズには、図１、および、図２で示されるような方形、および、円形の二種の形態があり、更に、図３で示されるように、ヒューズは、主に、本体１０と本体１０を貫通する二本のリード線２０により構成されるベース１、および、蓋体２、からなる。本体１０を貫通する二リード線２０によりピン２２を形成し、更に、一組のヒューズ３０を挟置する。蓋体２によりヒューズベース１０を完全に蓋する。図４、および、図５で示されるように、現在のヒューズのベース１構造の構成方式は、まず、等しい長さのリード線２０を切り、二リード線２０一端を平らにしてピン２２を形成し、ピン２２の近接箇所に、平坦状の型押し構造２１を形成する。続いて、人工の方式により、二リード線２０を、本体１０を製造する金型に置いて、射出成型し、ベース１の製造を完成させる。しかし、二リード線２０は人工の方式で設置されるので、ミスが生じやすく、リード線２０が歪んだり、長さが不等である等の状況が生じ、製品の瑕疵や損壊率が高い欠点がある。
【考案の概要】
【考案が解決しようとする課題】
【０００３】
本考案は、ヒューズベースの組み合わせ構造を提供し、上述の問題を解決することを目的とする。
【課題を解決するための手段】
【０００４】
本考案のヒューズベースの組み合わせ構造は、本体、および、二リード線からなる。その特徴は、本体左右に頂底面が貫通する接合孔を設置し、接合孔底端はラッパ状の導孔を形成し、二リード線の頂端近接部に、平坦な型押し構造を形成し、故に、自動化機械設備により、リード線を導孔端からベース本体の接合孔内に挿入することができる。
【考案の効果】
【０００５】
本考案は、人工の方式でなく、自動化機械設備により、リード線を導孔端からベース本体の接合孔内に挿入することができるので、ベース製造時、本体とリード線の接合が人工操作によるミスを防止し、製品の瑕疵や損壊率を減少させる。
【図面の簡単な説明】
【０００６】
【図１】方形ヒューズの外観図である。
【図２】円形ヒューズの外観図である。
【図３】ヒューズの組成構造図である。
【図４】公知のヒューズのベース構成図である。
【図５】公知のヒューズのベース構成図である。
【図６】本考案のヒューズのベース構造分解図である。
【図７】本考案のヒューズのベース組成図である。
【図８】本考案のヒューズのベース組成図である。
【図９】本考案のヒューズのベースの断面図である。
【考案を実施するための形態】
【０００７】
図６〜図９を参照すると、本考案のヒューズベース１は、本体１０、および、二リード線２０からなる。本体１０左右に頂底面が貫通する接合孔１１を設置し、接合孔１１底端はラッパ状の導孔１２を形成し、二リード線２０の頂端近接部に、平坦な型押し構造２１を形成し、このような設計により、自動化機械設備により、リード線２０を導孔１２端からベース本体１０の接合孔１１内に挿入することができる。リード線２０の型押し構造２１により、接合孔１１内に固定され、二リード線２０頂端が接合孔１１から外に出て、扁平なピン２２を形成する。これにより、ベース製造時、本体とリード線の接合の人工操作によるミスを防止し、製品の瑕疵や損壊率を減少させる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
ベース１
蓋体２
本体１０
接合孔１１
導孔１２
リード線２０
型押し構造２１
ピン２２
ヒューズ３０
【図１】
0003154798.tif 000003
【図２】
0003154798.tif 000004
【図３】
0003154798.tif 000005
【図４】
0003154798.tif 000006
【図５】
0003154798.tif 000007
【図６】
0003154798.tif 000008
【図７】
0003154798.tif 000009
【図８】
0003154798.tif 000010
【図９】
0003154798.tif 000011
【手続補正書】
【提出日】平成21年8月18日(2009.8.18)
【手続補正１】
【補正対象書類名】実用新案登録請求の範囲
【補正対象項目名】全文
【補正方法】変更
【補正の内容】
【実用新案登録請求の範囲】
【請求項１】
ヒューズベース組み合わせ構造であって、ベース本体、および、二リード線からなり、その特徴は、前記ベース本体の左右に頂底面が貫通する接合孔を設置し、前記接合孔底端はラッパ状の導孔を形成し、前記の二リード線の頂端近接部に、平坦な型押し構造を形成し、自動化機械設備により、前記リード線を前記導孔端から前記ベース本体の前記接合孔内に挿入し、前記型押し構造により固定されることを特徴とするヒューズベース組み合わせ構造。
【請求項２】
前記ベース本体の形状は、方形、円形、あるいは、その他の幾何学系であることを特徴とする請求項１に記載のヒューズベース組み合わせ構造。
(57)【要約】      （修正有）【課題】施工現場での加工作業の工程を省き、廃材の発生をなくすと共に施工効率を向上させる石膏部材を提供する。【解決手段】石膏ボード１は、壁部や梁部の耐火処置に供される石膏部材であって、コンクリート層２が打設されるデッキプレート３と下地部４との間に配置される。石膏ボード１はコンクリート層２が打設される波型形状のデッキプレート３とこのプレートが設置される下地部４との間の空間部を塞ぐ。石膏ボード１はデッキプレート３の凸面３１，凹面３２の形状と対応するように、その短辺方向の断面の形状が凸形となるように上面１０が加工されている。【選択図】図１
0003154726.tif 000002
【実用新案登録請求の範囲】
【請求項１】
コンクリート層が打設される波型形状の鋼材とこの鋼材が設置される下地部との間の空間部を塞ぐ石膏部材であって、
その上面が前記鋼材の凹凸面の形状に対応するように加工されたこと
を特徴とする石膏部材。
【請求項２】
コンクリート層が打設される波型形状の鋼材とこの鋼材が設置される下地部との間の空間部を塞ぐ板状の石膏部材であって、
前記鋼材と対向する上面が前記鋼材の凹凸面の形状に対応するように加工されたこと
を特徴とする石膏部材。
【考案の詳細な説明】
【技術分野】
【０００１】
本考案は壁部や梁部の耐火、補強、下張り等に供される石膏部材に関する。
【背景技術】
【０００２】
壁部や梁部の耐火や補強の対策として、下地の壁部や梁部に波型形状の鋼材であるデッキプレートを配置し、このプレートが埋設されるようにコンクリート層を打設すると共に前記プレートと前記下地との空間部を耐火性の部材で塞ぐようにしている（特許文献１）。
【先行技術文献】
【特許文献】
【０００３】
【特許文献１】特開２００６−３２８８２１号公報
【特許文献２】特開２００３−２５３８０７号公報
【考案の概要】
【考案が解決しようとする課題】
【０００４】
しかしながら、特許文献１の耐火性の部材はデッキプレートの凸部の形状に合わせるように当該部材を施工現場にて加工する作業が必要である。
【０００５】
以上のように従来の石膏部材は施工現場での加工作業が必要であり、施工効率が悪いことに加えて加工作業によって廃材が発生してしまう。
【課題を解決するための手段】
【０００６】
そこで、本考案の石膏部材は、コンクリート層が打設される波型形状の鋼材とこの鋼材が設置される下地部との間の空間部を塞ぐ石膏部材であって、その上面が前記鋼材の凹凸面の形状に対応するように加工されている。
【０００７】
また、本考案の石膏部材は、コンクリート層が打設される波型形状の鋼材とこの鋼材が設置される下地部との間の空間部を塞ぐ板状の石膏部材であって、前記鋼材と対向する上面が前記鋼材の凹凸面の形状に対応するように加工されている。
【考案の効果】
【０００８】
したがって、以上の考案によれば、施工現場での加工作業の工程が省かれ、廃材が生じなくなると共に施工効率が向上する。
【図面の簡単な説明】
【０００９】
【図１】本考案の第一の実施形態に係る耐火ボードの設置形態の説明図。
【図２】本考案の第二の実施形態に係る耐火ボード。
【考案を実施するための形態】
【００１０】
以下、本考案の実施形態について図面を参照しながら説明する。
【００１１】
図１に示された本考案の実施形態に係る石膏ボード１は、壁部や梁部の耐火に供される石膏部材であって、コンクリート層２が打設されるデッキプレート３と下地部４との間に配置される。
【００１２】
石膏ボード１は石膏成分からなる板状の石膏部材がデッキプレート３の形状に対応するように予め加工されている。尚、前記石膏部材としては、特許文献２に開示された石膏ボード等が例示される。
【００１３】
デッキプレート３は一般的に壁部や梁部の補強部材として用いられている鋼材であって、図１に例示されたような凸面３１と凹面３２が交互に繰り返すように形成された波型形状を成している。
【００１４】
本実施形態に係る石膏ボード１は、デッキプレート３と対向する上面１０がデッキプレート３の凹凸面の形状に対応するように加工されている。すなわち、石膏ボード１は、より具体的には図１に示した通り、デッキプレート３の凸面３１,凹面３２の形状と対応するように、その短辺方向の断面の形状が凸形となるように上面１０が加工されている。
【００１５】
図１を参照しながら石膏ボード１の施工例について説明する。先ず、壁部や鉄骨梁等の下地部４の面上に、石膏ボード１がデッキプレート３の凸面３１の配列に合わせて配置され、接着剤またはビスによって固定される。次いで、デッキプレート３の凹面３２が下地部４の面に図示省略のボルト等の固定具によって固定される。この際、デッキプレート３と下地部４との隙間に無機質充填材が適宜に充填される。そして、このデッキプレート３上にコンクリリート層２が打設される。
【００１６】
以上の説明から明らかなように石膏ボード１は、デッキプレート２の形状に対応して成型されているので、施工現場での加工作業が必要でなくなる。したがって、施工現場での廃材が生じなくなると共に施工効率が向上する。
【００１７】
図２に示された本考案の第二の実施形態に係る石膏ボード５は、天井壁や腰壁等の耐火、補強、下張り等の目的で下地材として用いられる板状の石膏部材であって、その上面の四辺が予め面取り加工されている。
【００１８】
石膏ボード５は石膏成分を主成分とする板状の石膏基材からなる。当該基材としては特許文献２に開示された石膏ボード等が例示される。尚、耐火ボード５が天井壁や腰壁に適用される場合は、上面にメラミン樹脂、フッ素樹脂、アクリル樹脂などの硬質樹脂からなる保護層やオレフィン系樹脂や、紙、不織布などの素材からなる化粧層が適宜に積層される。
【００１９】
石膏ボード５は例えば特開２００６−５６１４０の製造方法によって成型すればよい。面取り工程では、石膏ボード５の上面の長辺が所定の角度で糸きり面取りによって面取り部５１が形成された後に、前記上面の短辺が所定の角度で裁断によって面取りされることで面取り部５２が形成される。
【００２０】
石膏ボード５は施工にあたり下張り材を介して接着剤や釘などの固定具によって天井壁や腰壁等の下地部の表面に固定される。複数の耐火ボード５は各端面が互いに当接するように前記下地部の表面に縦列的及び横列的に配置されて固定される。
【００２１】
従来の石膏ボードは、下地部の表面に固定するにあたり、施工現場にて当該耐火ボードの上面の短辺部分をボードやヤスリ等で面取りしなければならなかった。
【００２２】
これに対して、石膏ボード５はその上面の四辺が予め面取り加工されているので、下地部への固定時に上述の面取りの作業が必要でなくなる。したがって、施工現場での廃材が生じなくなると共に施工効率が向上する。
【符号の説明】
【００２３】
１，５…石膏ボード（石膏部材）
２…コンクリート層
３…デッキプレート（鋼材）、３１…凸面、３２…凹面
４…下地部
１０…上面
５１，５２…面取り部
【図１】
0003154726.tif 000003
【図２】
0003154726.tif 000004
(57)【要約】      （修正有）【課題】自動車の運転中に肩や背中が凝らないように、自動車の座席の背もたれの部分に簡易に取り付けるツボ押し装置を提供する。【解決手段】布状のベルトで、はしご状に四角形を一個作り、その四角形の交差した点に、ツボ押しのための球２を４個取り付けて、四角形から余分に上方に飛び出したベルト３の部分に、自動車の座席の頭を付けるヘッドレストの部分に引っ掛けるためのマジックテープ（登録商標）をつけて、上記簡易取付型つぼ押し装置を構成する。【選択図】図２
0003154787.tif 000002
【実用新案登録請求の範囲】
【請求項１】
自動車の椅子の背もたれの部分に簡易型ツボ押し装置で突起を設け、運転中に肩と背中が凝らないようにする簡易取り付け型ツボ押し装置。
【考案の詳細な説明】
【技術分野】
【０００１】  本考案は、自動車の運転中に肩や背中が凝らないように、自動車の座席の背もたれの部分に簡易に取り付けるツボ押し装置に関するものである。
【背景技術】
【０００２】  自動車の運転中に肩や背中が凝った時は、休憩を取るときまで我慢をするしかなかった。
【考案の開示】
【考案が解決しようとする課題】
【０００３】  自動車の運転中に肩や背中が凝ることは、運転に集中することができなくなくなり、とても危険である。また、このような状態を我慢することは体にも悪影響を与えるものである。
この装置は、以上のような点を解決しようとするものである。
【問題を解決するための手段】
【０００４】  本考案は、自動車の座席に簡易的にツボ押し装置を取り付けることにより、運転者の肩や背中のツボを常に押すことで、運転中に肩や背中の疲れを感じてしまうと言う問題点を解決している。
【考案の効果】
【０００５】  上述のように、運転者の疲れを和らげるということは勿論、簡易型ツボ押し装置を取り付けたことで運転者の疲れを取り除き、気持ちをリラックスさせることで交通事故防止にも役立つ。
【考案を実施するための最良の形態】
【０００６】  簡易型ツボ押し装置を、自動車の座席の頭を付ける部分ヘッドレストに取り付け、運転者のツボの位置にツボ押し装置がフィットするように、調整装置（ベルトについているマジックテープ）で調節して使用する。
【実施例】
【０００７】  以下、添付図面に従って一実施例を説明する。
球２の部分は肩と背中を押す装置である。これについているベルト３を座席の頭を付ける部分ヘッドレストにかけ、球２が運転者のツボにくるように、ベルト３のマジックテープ４（調整装置）で調整して使用する。
【図面の簡単な説明】
【０００８】
【図１】簡易取り付け型ツボ押し装置本体である。
【図２】本考案の簡易取り付け型ツボ押し装置の一実施例を示す正面図である。
【図３】本簡易取り付け型ツボ押し装置の一実施例を示す側面図である。
【符号の説明】
【０００９】１  簡易取り付け型ツボ押し装置本体
２  ツボ押しの球
３  ベルト
４  マジックテープ
【図１】
0003154787.tif 000003
【図２】
0003154787.tif 000004
【図３】
0003154787.tif 000005
【手続補正書】
【提出日】平成21年1月13日(2009.1.13)
【手続補正１】
【補正対象書類名】実用新案登録請求の範囲
【補正対象項目名】全文
【補正方法】変更
【補正の内容】
【実用新案登録請求の範囲】
【請求項１】
自動車の椅子の背もたれの部分に簡易型ツボ押し装置で突起を設け、運転中に肩と背中が凝らないようにする簡易取り付け型ツボ押し装置。
簡易取り付け型ツボ押し装置は、布状のベルトで、はしご状に四角形を一個作り、その四角形の交差した点に、ツボ押しのための球を４個取り付けて、四角形から余分に上方に飛び出したベルトの部分に、自動車の座席の頭を付ける部分ヘッドレストの部分に引っ掛けるためのマジックテープ（登録商標）をつける形状である。
【手続補正２】
【補正対象書類名】明細書
【補正対象項目名】０００６
【補正方法】変更
【補正の内容】
【０００６】  簡易型ツボ押し装置を、自動車の座席の頭を付ける部分ヘッドレストに取り付け、運転者のツボの位置にツボ押し装置がフィットするように、調整装置（ベルトについているマジックテープ（登録商標））で調節して使用する。
【手続補正３】
【補正対象書類名】明細書
【補正対象項目名】０００７
【補正方法】変更
【補正の内容】
【０００７】以下、添付図面に従って一実施例を説明する。
球２の部分は肩と背中を押す装置である。これについているベルト３を座席の頭を付ける部分ヘッドレストにかけ、球２が運転者のツボにくるように、ベルト３のマジックテープ（登録商標）４（調整装置）で調整して使用する。
【手続補正４】
【補正対象書類名】明細書
【補正対象項目名】０００９
【補正方法】変更
【補正の内容】
【０００９】１  簡易取り付け型ツボ押し装置本体
２  ツボ押しの球
３  ベルト
４  マジックテープ（登録商標）
【手続補正書】
【提出日】平成21年3月15日(2009.3.15)
【手続補正１】
【補正対象書類名】実用新案登録請求の範囲
【補正対象項目名】全文
【補正方法】変更
【補正の内容】
【実用新案登録請求の範囲】
【請求項１】
自動車の椅子の背もたれの部分に簡易型ツボ押し装置で突起を設け、運転中に肩と背中が凝らないようにする簡易取り付け型ツボ押し装置であって、布状のベルトで、はしご状に四角形を一個作り、その四角形の交差した点に、ツボ押しのための球を４個取り付けて、四角形から余分に上方に飛び出したベルトの部分に、自動車の座席の頭を付ける部分ヘッドレストの部分に引っ掛けるためのマジックテープ（登録商標）をつける形状であることを特徴とする、簡易取り付け型ツボ押し装置。
(57)【要約】      （修正有）【課題】夜間就寝中等に突然こむら返りが起こった場合、速やかに自分一人で対処できる痙攣矯正器具を提供する。【解決手段】痙攣矯正器具は、足の親指を内側へ曲げる為の親指バーを取付けた足当て部及び踵を支持する為の底板から成るＬ型の足台と、一端が足台に固定され、他端部に取っ手部を備え、足台を手前に引くための板状ないし棒状の腕木を有する。【選択図】図２
0003154742.tif 000002
【実用新案登録請求の範囲】
【請求項１】
足の親指を内側へ曲げる為の親指バーを取付けた足当て部及び踵を支持する為の底板から成るL型の足台と、一端が前記足台に固定され、他端部に取っ手部を備え、前記足台を手前に引くための板状ないし棒状の腕木を有する痙攣矯正器具。
【請求項２】
親指バーの取付けは、足の大きさのよって位置替えが可能なように構成されいる請求項１記載の痙攣矯正器具。
【考案の詳細な説明】
【技術分野】
【０００１】
本考案は、こむら返りによる足の筋肉痙攣の症状緩和と矯正のための器具に関するものである。。
【背景技術】
【０００２】
従来痙攣の症状緩和のための器具は種々考えられているが、予防を目的としたものが多く構造が複雑で、こむら返りが起こってから後に又は起こりそうな筋肉の違和感が発生してから使用する矯正器具は見当たらない。
【考案の概要】
【考案が解決しようとする課題】
【０００３】
こむら返りが起こった時、痙攣する足の親指を内側に曲げ、尚且つ足首全体を内側に反らすという処置をすれば痙攣が緩和されると古来から言われている。よってこの処置を第３者に依頼することなく如何に速やかに自分１人で対処できるかが課題である。
【課題を解決するための手段】
【０００４】
親指を内側に曲げる為の親指バーを取付けたL型の足台に、親指を親指バーに沿わせながら足裏を接面させ、腕木の端の取っ手部を手前に引くだけの簡単な操作で処置が出来るようした。
【考案の効果】
【０００５】
ひとたびこむら返りが起こると身動きすら出来ず、強い痛みが繰り返し襲ってくるのを、耐えながら痙攣が治まるのを待つしかない。そこで本考案の器具を用いれば、痛みも半減し又痙攣時間も短縮できる効果がある。
自身の経験では、こむら返りが起こる少し前には、足の筋肉に違和感が生じてきて痙攣が始まるなという瞬間を察知する事が出来るので、その時に出来るだけ早く処置をすれば軽くて済む。
【０００６】
こむら返りによる痙攣を即座に止める特効薬は無いようで、飲み薬は言うに及ばず軟膏、貼り薬に至るまで市販されているのを見たことがない。この為恐怖心から熟睡できず、余計にひきつけや痙攣が起りやすくなり、それらを払拭するためにも、本器具を手じかに置くだけで安眠できる効果がある。
【図面の簡単な説明】
【０００７】
【図１】本考案の器具に係る側面図
【図２】本考案の器具の斜視図面（実施例）
【図３】本考案の器具の他の実施例を示す斜視図
【考案を実施するための形態】
【０００８】
図１及び図2において、１ａは足の裏を接面するための足当て部、１ｂは踵を支持する為の底板であり、この２つの部位を直角に接合してＬ型の足台１を構成する。３は固定された腕木であり他端には手前方行に引く為の取っ手部４が設けられている。
【０００９】
Ｌ型の足台１に固定される腕木３の取付け位置は、力がしっかり加わりさえすれば（図2参照）足当て部1ａの上端でも良いし、図３の実施例のように側面から延長させてもかまわない。また側面からの腕木３も図３のように右側から１本でも良いし、Ｌ型の足台１の左右両側から２本を延長させ取っ手部で結合させても良いが、製作のコスト及び腕木が邪魔なので左右両足での使用等を考えれば腕木は1本にする方が合理的である。
【００１０】
前記段落番号０００８の足当て部１ａには、親指を手前９０度近くまで曲げる為の親指バーを取付するが、その仕組は足当て部上端から１センチ間隔で８箇所ビス穴を開けておき、親指バーには２センチの間隔で２本のボートを埋込んで（1.5センチ頭出し・蝶ネジ用）、個々の足の大きさに合わせて上下の位置を６段階に調節し蝶ネジでセットする。
親指バー２の親指と接する部分の窪みは図1・図２の例のように傾斜角型でも良いし、図３のようにアール状か又は単に棒状のバーだけでもかまわない。
【００１１】
足当て部１ａと底板１ｂの接合部分及びＬ型の足台１と腕木３との接合部分は補強材等でしっかり固定し、製作する造作材は木製及び強化プラスチック等軽くて丈夫な素材を用い、寝たままでも簡単に処置できるようにする。
【符号の説明】
【００１２】
１  Ｌ型の足台        「１ａ」  足当て部      「１ｂ」  底  板            
２  親指バー                    
３  腕  木                      
４  取っ手部                    
５  ビス穴
６  補強材
７  蝶ネジ
【図１】
0003154742.tif 000003
【図２】
0003154742.tif 000004
【図３】
0003154742.tif 000005
(57)【要約】【課題】収納物の厚みに応じて常に最小、かつ、均一の厚さを有するようにした収納袋を提供する。【解決手段】底部７と相対向する一対の側部１１、１３とにそれぞれマチ７ａ、１１ａ、１３ａを備えさせ、底部７のマチ７ａは該マチ７ａの中央線７ｂにて内方に折り曲げ自在となし、各側部１１、１３のマチ１１ａ、１３ａは該マチ１１ａ、１３ａの中央線１１ｂ、１３ｂにてそれぞれ外方に折り曲げ自在となしたことを特徴とする収納袋。【選択図】図１
0003154744.tif 000002
【実用新案登録請求の範囲】
【請求項１】
底部と相対向する一対の側部とにそれぞれマチを備えさせ、底部のマチは該マチの中央線にて内方に折り曲げ自在となし、各側部のマチは該マチの中央線にてそれぞれ外方に折り曲げ自在となしたことを特徴とする収納袋。
【考案の詳細な説明】
【技術分野】
【０００１】
本考案は、収納袋に関するものであり、更に詳しくは、例えば、物品を注文主ないし依頼主まで配達する際に該物品を収納する宅配用袋を含む収納袋に係るものである。
【背景技術】
【０００２】
収納袋としては、例えば特開２００４−７５１５２号公報に示すように、底部にマチを備えてなる袋体（以下「従来の収納袋」という。）が知られている。
【０００３】
すなわち、従来の収納袋は、図８に示すように、袋体２１の底部２３にマチ２５を備えている。
【先行技術文献】
【特許文献】
【０００４】
【特許文献１】特開２００４−７５１５２号公報
【考案の概要】
【考案が解決しようとする課題】
【０００５】
従来の収納袋は、底部にマチを備えているため、厚みの大きな物品を収納する際には好都合である。
【０００６】
しかるに、従来の収納袋におけるマチを備えた底部は、収納物の厚みの如何にかかわらず、常に一定の厚さを有する。換言すれば、従来の収納袋におけるマチを備えた底部は、例えば厚い包装箱に包装されている菓子の如く厚みの大きな物品を収納するときでも、例えば薄い書類の如く厚みの小さな物品を収納するときでも、底部は常に一定の厚さを有する。
【０００７】
したがって、特に厚みの小さな物品を収納するときには、収納袋内に不必要なスペースが生じ、該収納袋の底部が嵩張ることになる。収納袋の底部が嵩張るときには、収納袋の運搬作業に支障をきたすおそれがある。
【０００８】
このような状況に鑑み、本考案は、収納物の厚みに応じて常に最小、かつ、均一の厚さを有するようにした収納袋を提供しようとしてなされたものである。
【課題を解決するための手段】
【０００９】
上記課題を解決するために、本考案は、下記の収納袋を提供するものである。
【００１０】
底部と相対向する一対の側部とにそれぞれマチを備えさせ、底部のマチは該マチの中央線にて内方に折り曲げ自在となし、各側部のマチは該マチの中央線にてそれぞれ外方に折り曲げ自在となしたことを特徴とする収納袋。
【考案の効果】
【００１１】
本考案によれば、収納袋における底部のマチは該マチの中央線にて内方に折り曲げ自在となし、各側部のマチは該マチの中央線にてそれぞれ外方に折り曲げ自在となしたため、収納袋は全体の厚さが調節自在であり、収納袋全体が収納物の厚みに対応した均一の厚さとなる。すなわち、収納袋に厚みの大きな収納物を収納したときには、底部のマチと各側部のマチは該収納物の厚みに応じて折り曲げが緩和され、収納袋全体の厚さが均一に大きくなる（図３、図４参照）。一方、収納袋に厚みの小さな収納物を収納したときには、底部のマチは該収納物の厚みに応じて内方に折り曲り、各側部のマチは該収納物の厚みに応じてそれぞれ外方に折り曲り、収納袋全体の厚さが均一に小さくなる（図５、図６参照）。
【００１２】
したがって、収納袋は、収納物の厚みに応じて常に最小、かつ、均一の厚さを有するため、収納物を収納した収納袋の運搬作業が容易なものとなる。
【図面の簡単な説明】
【００１３】
【図１】図１は、本考案による収納袋の一例を示す斜視図である。
【図２】図２は、同上収納袋の断面図である。
【図３】図３は、同上収納袋全体の厚さが均一に大きくなった状態を示す断面図である。
【図４】図４は、図３のＩＶ−ＩＶ線における断面図である。
【図５】図５は、同上収納袋全体の厚さが均一に小さくなった状態を示す断面図である。
【図６】図６は、図５のＶＩ−ＶＩ線における断面図である。
【図７】図７は、同上収納袋の展開図である。
【図８】図８は、従来の収納袋を示す断面図である。
【考案を実施するための形態】
【００１４】
本考案による収納袋は、従来の収納袋と同様に、略直方体の箱状をなす。すなわち、符号１に示すものは収納袋の正面部であり、符号３に示すものは背面部である。収納袋の一端を開口部５とし、他端を底部７とする。開口部５は、該開口部５を密封するためのフラップ９を備えている。符号１１、１３に示すものは相対向する一対の側部である。
【００１５】
しかして、本考案においては、底部７と相対向する一対の側部１１、１３とにそれぞれマチ７ａ、１１ａ、１３ａを備えさせる。
【００１６】
底部７のマチ７ａは、該マチ７ａの中央線７ｂにて内方に折り曲げ自在となす。
【００１７】
各側部１１、１３のマチ１１ａ、１３ａは、該マチ１１ａ、１３ａの中央線１１ｂ、１３ｂにてそれぞれ外方に折り曲げ自在となす。
【００１８】
本考案による収納袋の展開図の一例を図７に示す。図７における点線は、折り曲げ線である。各部を貼着して図１に示す如き収納袋を形成するのであるが、形成された収納袋は一端の開口部５を除き、密封される。
【００１９】
なお、本考案による収納袋は、例えば、紙又はポリプロピレン、ポリエチレン等の合成樹脂により形成する。
【符号の説明】
【００２０】
１  正面部
３  背面部
５  開口部
７  底部
７ａ  マチ
７ｂ  中央線
９  フラップ
１１  側部
１１ａ  マチ
１１ｂ  中央線
１３  側部
１３ａ  マチ
１３ｂ  中央線
２１  袋体
２３  底部
２５  マチ
【図１】
0003154744.tif 000003
【図２】
0003154744.tif 000004
【図３】
0003154744.tif 000005
【図４】
0003154744.tif 000006
【図５】
0003154744.tif 000007
【図６】
0003154744.tif 000008
【図７】
0003154744.tif 000009
【図８】
0003154744.tif 000010